(57)【特許請求の範囲】
【請求項１】
ネットワークを介して接続された複数のコンピュータと通信を行う通信手段と、少なくとも送信端末識別データが付加されたファクシミリデータを外部から受信する受信手段と、前記受信手段で受信したファクシミリデータの印字を行う印字手段と、前記受信手段で受信したファクシミリデータを全て所定の転送先へ転送する転送手段とを有する画像形成装置において、
送信端末識別データが示す番号が名前として付されるとともに、ファクシミリデータの転送を行うための転送設定がなされた転送箱及びＦコード中継を行うための転送箱を記憶する記憶手段と、
前記受信手段で受信したファクシミリデータに、Ｆコード中継を行うための番号が指定されているか否かを判断する第１の判断手段と、
この第１の判断手段で前記番号が指定されていないと判断すると、前記送信端末識別データが示す番号と対応する転送箱に設定された転送設定による転送機能が有効となっているか否かを判断する第２の判断手段と、
この第２の判断手段で前記転送設定による転送機能が有効となっていると判断すると、前記送信端末識別データと一致する名前が付された転送箱を前記記憶手段から検索する検索手段と、
この検索手段で転送箱が検索されると、その検索された転送箱にＦコード中継であることを示すＦコード情報が関連づけて記憶されているか否かを判断する第３の判断手段と、
この第３の判断手段でＦコード情報が関連付けて記憶されていると判断すると、前記送信端末識別データが示す番号と一致する転送箱に設定された転送設定による転送を行わず、予め定められた設定に従って前記印字手段による前記ファクシミリデータの印字又は前記転送手段による前記ファクシミリデータの予め設定された所定の転送先への転送のいずれかを行う処理手段とを有することを特徴とする画像形成装置。
【請求項２】
前記Ｆコード情報は、転送箱の転送設定に関連付けて記憶されたパスワードであることを特徴とする請求項１記載の画像形成装置。
【請求項３】
前記Ｆコード情報は、転送箱の転送設定に関連付けて記憶された親展、掲示板、中継のうちのいずれかである転送箱の属性を示す情報であることを特徴とする請求項１記載の画像形成装置。
【請求項４】
ネットワークを介して接続された複数のコンピュータと通信を行う通信手段と、送信端末識別データが示す番号が名前として付されるとともに、ファクシミリデータの転送を行うための転送設定がなされた転送箱及びＦコード中継を行うための転送箱を記憶する記憶手段とを有する画像形成装置のファクシミリデータの転送方法であって、
外部から受信した少なくとも送信端末識別データが付加されたファクシミリデータに、Ｆコード中継を行うための番号が指定されているか否かを判断するステップと、
このステップで前記番号が指定されていないと判断すると、前記送信端末識別データが示す番号と対応する転送箱に設定された転送設定による転送機能が有効となっているか否かを判断するステップと、
このステップで前記転送設定による転送機能が有効となっていると判断すると、前記送信端末識別データと一致する名前が付された転送箱を前記記憶手段から検索するステップと、
このステップで転送箱が検索されると、その検索された転送箱にＦコード中継であることを示すＦコード情報が関連づけて記憶されているか否かを判断するステップと、
このステップでＦコード情報が関連付けて記憶されていると判断すると、前記送信端末識別データが示す番号と対応する転送箱に設定された転送設定による転送を行わず、予め定められた設定に従って前記ファクシミリデータの印字又は前記ファクシミリデータの予め設定された所定の転送先への転送のいずれかで前記ファクシミリデータを処理するステップとを有することを特徴とする画像形成装置のファクシミリデータの転送方法。
【発明の詳細な説明】
【技術分野】
【０００１】
本発明は、外部から受信したファクシミリデータを転送する画像形成装置及び画像形成装置のファクシミリデータの転送方法に関する。
【背景技術】
【０００２】
ファクシミリ機能などの複数の機能を有する画像形成装置であるマルチ・ファンクション・ペリフェラル（以下、ＭＦＰと称する。）が知られている。このＭＦＰのファクシミリ機能には、受信したファクシミリデータを他のファックスに転送、あるいは、ネットワークを介して他のＭＦＰやＰＣにインターネットファックスや電子メールで転送する機能を有するものもある。この受信ファクシミリデータの転送は、例えば「ＳＵＢ」を使用したＦコード中継による転送を行っている。
【０００３】
Ｆコード中継は、「ＳＵＢ」として２０桁以内の予め定められた所定の番号を名前として付した転送箱を受信側の装置に作成しておくとともにこの転送箱にファクシミリデータの転送方法及び転送先を設定しておく。そして、送信者はファクシミリ送信時に、送信側の装置で「ＳＵＢ」として設定された番号を付してファクシミリ送信をする。「ＳＵＢ」が付されたファクシミリデータを受信した受信側の装置では、ファクシミリデータに付された「ＳＵＢ」が示す番号と対応する転送箱に設定された転送設定に応じて受信ファクシミリデータを転送する。このように「ＳＵＢ」による転送機能を設定できるＭＦＰは、ユーザがファクシミリ送信を行う際に、「ＳＵＢ」による転送を行うかどうかがユーザにより意識して用いられる。
【０００４】
なお、発信者の電話番号と親展ボックス番号とを対応付けたボックス選定テーブルに従って受信データを親展ボックスに振り分けることにより、受信データの親展ボックスへの振り分けに受信側の意図を反映させる技術が知られている（例えば、特許文献１参照。）
【特許文献１】特開２００２−１３５５５２
【発明の開示】
【発明が解決しようとする課題】
【０００５】
Ｆコード中継によるファクシミリデータの転送は、ファクシミリ送信時に送信者が予め設定された動作を受信側の装置で行わせるように指示しなければならない。すなわち、送信者が意図して予め設定された「ＳＵＢ」に応じた番号を入力しなければ、受信側の装置で受信ファクシミリデータを転送等させることができない。このため、ファクシミリデータに一般的に付加される送信端末識別データを転送箱の名前とした転送箱を作成し、その転送箱をＦコード中継に利用すれば送信者が「ＳＵＢ」を入力しなくても受信側の装置で、その送信端末識別データが示す番号が名前として付された転送箱の転送設定に応じて自動的にファクシミリデータの転送を行うようにすることができる。
【０００６】
ところで、「ＳＵＢ」を利用したＦコード中継によるファクシミリデータの転送機能と送信端末識別データによるファクシミリデータの転送機能とを持ち、「ＳＵＢ」として設定された番号と送信端末識別データが示す番号とが一致した名前が付された転送箱が作成できるＭＦＰがある。このＭＦＰにおいては、Ｆコード中継による転送箱を作成してあるユーザが「ＳＵＢ」を付さずにファクシミリデータを送信する場合は、ＭＦＰに転送機能を実行させるのではなく通常の受信印字が行われることを意図していることになる。
【０００７】
しかしながら、このような場合でも、送信端末識別データに基づくファクシミリデータの転送機能が有効となっていると、ユーザの意図に反して、送信端末識別データが示す番号が名前として付された転送箱の転送設定に基づいてファクシミリデータの転送が行われてしまうことになる。
【０００８】
本発明は上記事情に鑑みてなされたものであって、その目的は、送信端末識別データに基づいてファクシミリデータの転送を行う転送設定がなされた転送箱を有していても、ユーザがその転送箱に設定された転送設定でファクシミリデータが転送されることを意図せずにファクシミリデータを送信する場合には、送信端末識別データと対応する転送箱に設定された転送設定に基づいてファクシミリデータの転送が行われてしまうことを防止できる画像形成装置及び画像形成装置のファクシミリデータの転送方法を提供することにある。
【課題を解決するための手段】
【０００９】
本発明は、ネットワークを介して接続された複数のコンピュータと通信を行う通信手段と、送信端末識別データが示す番号が名前として付されるとともに、ファクシミリデータの転送を行うための転送設定がなされた転送箱及びＦコード中継を行うための転送箱を記憶する記憶手段とを有する画像形成装置は、少なくとも送信端末識別データが付加されたファクシミリデータを外部から受信したファクシミリデータに、Ｆコード中継を行うための番号が指定されているか否かを判断し、番号が指定されていないと判断すると、送信端末識別データが示す番号と対応する転送箱に設定された転送設定による転送機能が有効となっているか否かを判断し、転送設定による転送機能が有効となっていると判断すると、送信端末識別データと一致する名前が付された転送箱を記憶手段から検索し、転送箱が検索されると、その検索された転送箱にＦコード中継であることを示すＦコード情報が関連づけて記憶されているか否かを判断し、Ｆコード情報が関連付けて記憶されていると判断すると、送信端末識別データが示す番号と対応する転送箱に設定された転送設定による転送を行わず、予め定められた設定に従ってファクシミリデータの印字又はファクシミリデータの予め設定された所定の転送先への転送のいずれかでファクシミリデータを処理する。
【発明の効果】
【００１０】
本発明によると、送信端末識別データに基づいてファクシミリデータの転送を行う転送設定がなされた転送箱を有していても、ユーザがその転送箱に設定された転送設定でファクシミリデータが転送されることを意図せずにファクシミリデータを送信する場合には、送信端末識別データと対応する転送箱に設定された転送設定に基づいてファクシミリデータの転送が行われてしまうことを防止できる画像形成装置及び画像形成装置のファクシミリデータの転送方法を提供できる。
【発明を実施するための最良の形態】
【００１１】
以下、本発明の一実施の形態について図面を参照して説明する。  
図１は、マルチ・ファンクション・ペリフェラル（ＭＦＰ）１が接続されるネットワーク構成を概略的に示す図である。ＭＦＰ１は、ファクシミリ機能、プリンタ機能、コピー機能、スキャナ機能、ネットワーク機能等を備えた多機能プリンタである。図１に示すように、ＭＦＰ１はネットワーク２を介してＰＣ３，ＭＦＰ４と接続されている。ＰＣ３は、操作部３ａ、表示部３ｂを有している。また、この実施の形態では、ＭＦＰ１が接続されたネットワーク２に接続されるＰＣ３，ＭＦＰ４はそれぞれ１台の場合で説明する。しかしながら、ＰＣ３，ＭＦＰ４の数はこれに限られるものではない。なお、ＰＣ３のネットワーク２におけるアドレスは、「ｘｘｘｘｘｘｘｘｘｘ＠ｘｘ．ｊｐ」とする。
【００１２】
また、ＭＦＰ１は公衆電話回線（ＰＳＴＮ）加入者回線５を介してＰＳＴＮ６と接続されている。ＰＳＴＮ６には、ファックス７，ファックス８が接続されている。ファックス７には、電話番号が「０３３１２３４５６７」が割り当てられている。また、ファックス７はファクシミリデータを送信するときに、フェーズＢで伝送される送信端末識別データ（ＴＳＩ）として電話番号を示すデータを送信するようになっている。ＴＳＩは（ＩＴＵ勧告上はオプションであるが、市場のほとんどのファクシミリ装置はＴＳＩを付加する機能を搭載している。）、受信側の装置でディスプレイに表示し、受信管理レポートに印字し、又は後述するファクシミリデータを受信したときに転送を行うための箱を検索するときに活用する。なお、ＰＳＴＮ６に接続されるファックスはファックス７、ファックス８の２つの場合で説明する。しかしながら、ファックスの台数はこれに限られるものではない。
【００１３】
図２は、ＭＦＰ１の要部構成を示すブロック図である。ＭＦＰ１は、ＣＰＵ１１、ＲＯＭ１２、ＲＡＭ１３、記憶部１４、データ変換部１５、スキャナ１６、プリンタ１７、モデム１８、ＮＣＵ１９、電話機制御部２０、回線信号検出部２１、ネットワークインタフェース２２、コントロールパネル２３および時計部２４を有してなる。
【００１４】
そして、ＣＰＵ１１、ＲＯＭ１２、ＲＡＭ１３、記憶部１４、データ変換部１５、スキャナ１６、プリンタ１７、モデム１８、ＮＣＵ１９、回線信号検出部２１、ネットワークインタフェース２２、コントロールパネル２３および時計部２４は、バスライン２５を介して互いに接続されている。またＮＣＵ１９にはモデム１８および電話機制御部２０が接続されている。さらに電話機制御部２０には回線信号検出部２１が接続されている。
【００１５】
ＣＰＵ１１は、ＲＯＭ１２に格納された制御プログラムに基づいて各部を総括制御するための制御処理を行うことでＭＦＰ１としての動作を実現する。ＲＯＭ１２は、ＣＰＵ１１の制御プログラム等を記憶する。ＲＡＭ１３は、ＣＰＵ１１が各種の処理を行うために必要となる各種の情報を記憶するためのワークエリアなどとして使用される。
【００１６】
記憶部１４は、例えば、ハードディスク駆動装置（ＨＤＤ）である。記憶部１４は、画像データを一時的に保存するとともに、箱の設定などの各種設定に関するデータを記憶する。箱は、所定の目的のために名前が付されて作成される。なお、箱についての詳細は後述する。データ変換部１５は、画像データに対して冗長度圧縮のための符号化処理を施すとともに、冗長度圧縮のための符号化がなされている画像データの復号を行うものである。スキャナ１６は、送信原稿の読取りを行って、その送信原稿を示す画像データを生成する。プリンタ１７は、画像データが示す画像を記録用紙に対して印字する。
【００１７】
モデム１８は、画像データを変調してファクシミリ伝送信号を生成したり、ＣＰＵ１１から与えられるコマンドを変調してコマンド伝送信号を生成するものである。モデム１８はこれらの伝送信号をＮＣＵ１９を介してＰＳＴＮ加入者線５へと送出する。またモデム１８は、ＰＳＴＮ加入者線５を介して到来し、ＮＣＵ１９を介して与えられたファクシミリ伝送信号を復調して画像データを再生したり、コマンド伝送信号を復調してコマンドを再生する。ＮＣＵ１９には、ＰＳＴＮ６に収容されたＰＳＴＮ加入者線５が接続されている。そしてＮＣＵ１９は、この接続されたＰＳＴＮ加入者線５に関して、状態監視や網への発信処理などを行なう。またＮＣＵ１９は、ＰＳＴＮ加入者線５に対して送出するファクシミリ伝送信号のレベルの設定等を行う。電話機制御部２０には、必要に応じて外部電話機が接続される。回線信号検出部２１は、ＰＳＴＮ加入者線５を介して到来する信号をＮＣＵ１９および電話機制御部２０を介して受け、所定の信号の到来を検出する。
【００１８】
ネットワークインタフェース２２は、ネットワーク２との接続に使用される。そしてネットワークインタフェース２２は、ネットワーク２を介して、データ伝送を行う。コントロールパネル２３は、ユーザによるＣＰＵ１１に対する各種の指示入力を受け付けるための操作部２３ａや、ユーザに対して報知すべき各種の情報をＣＰＵ１１の制御の下に表示するための表示部２３ｂなどを有する。時計部２４は、計時動作を常時行い、現在時刻を示す現在時刻情報を出力する。
【００１９】
次に記憶部１４に作成される箱について説明する。箱は、例えば、次のような場合にユーザにより作成される。箱はユーザが特定の文書や画像のデータ等を保存するために作成される。この場合箱の名前としては例えばそのユーザの名前や任意の番号が付される。また、箱はユーザがＦコード中継を行うために箱が作成される。この場合箱の名前としてユーザに定められた任意の名前、例えばＴＳＩを示す番号が付されるとともに、この箱にはファクシミリデータを転送するための設定が記憶される。
【００２０】
続いて、図３から図７を参照して箱を作成するときのユーザの操作について具体的に説明する。なお、ユーザがＰＣ３を用いて、ネットワーク２に接続されたＭＦＰ１が受信した受信ファクシミリデータの転送設定を行う場合で以下説明する。
【００２１】
図３から図７は、ＭＦＰ１が受信した受信ファクシミリデータの転送設定を行うときに、ＰＣ３の表示部３ｂに表示される表示画面を示している。表示部３ｂには、「装置」、「ジョブ」、「ログ」、「登録」、「カウンタ」、「ユーザ管理」、「管理者」が項目として表示されたメニュー画面が表示される。このメニュー画面は、ユーザがＰＣの操作部３ａを操作することにより、ＰＣ３の表示部３ｂに呼び出すことができるようになっている。
【００２２】
この各項目の中から「登録」が選択されると、図３に示すように、「テンプレート」に関する内容が登録できる画面が表示部３ｂに表示される。また、この「登録」が選択された画面では、「テンプレート」の項目に加えて、「アドレス帳」、「Ｆコード」の項目も選択できるように表示される。ユーザは転送設定を行うために操作部３ａを操作して、「Ｆコード」を選択する。
【００２３】
図４は、「Ｆコード」の項目が選択されたときに表示部３ｂに表示される画面を示している。Ｆコードを新たに設定する場合には、ユーザは操作部３ａを操作して新規ボタン２３ｃを入力する。この新規ボタン２３ｃが入力されると、図５に示すように、Ｆコードの設定画面が表示部３ｂに表示される。この設定画面には、「親展」、「掲示板」、「転送」のチェックボックスが表示される。図５では、「転送」のチェックボックスがチェックされている。そして、前記設定画面には転送先として、「インターネットファックス／ファックス（中継）」、「共有フォルダに保管」、「Ｅメール送信」、「ファイリングボックスに保管」のチェックボックスが表示されている。ユーザは操作部３ａを操作してチェックボックスをチェックして所望の転送先を設定する。図５では、「Ｅメール送信」がチェックされているため、転送先として、Ｅメールアドレスが設定される。
【００２４】
続いて、箱番号、パスワード、転送先の設定方法について説明する。先ず、ユーザは操作部３ａを操作して図５で示す「エージェント設定」のアイコン２３ｄを入力する。このアイコン２３ｄが入力されると、Ｆコードを設定するための「Ｆコード設定」アイコン２３ｅを含む図６に示す表示が表示部３ｂになされる。この表示画面においてアイコン２３ｅが入力されると、図７に示すＦコードの箱番号、パスワード、転送先を設定する画面が表示される。そして、ユーザは図７の表示の箱番号の欄に、ＴＳＩの番号を入力する。例えば、ファックス７から受信したファクシミリデータをＰＣ３にＥメール転送する場合には、図７に示すように、箱番号として「０３３１２３４５６７」を設定し、第３者による無許可の当該箱へのアクセスを禁止するためのパスワードとして「１２３４５６」を設定し、送信先として「ｘｘｘｘｘｘｘｘｘｘ＠ｘｘ．ｊｐ」」を設定する。このほかにも、必要に応じてユーザ名等がユーザにより入力される。また、図７に示すように、受信時に原稿印刷を行うか否かの受信印字の設定は、印刷が選択されている。そして保存ボタン２３ｆが入力されることにより、この転送設定が保存される。
【００２５】
図８は、記憶部１４に作成された箱と、その箱に設定された転送先の内容を示す記憶手段としてのテーブルＴである。
【００２６】
このテーブルＴには、箱番号と、その箱番号の属性、パスワード、転送先、受信印字の設定の有無とが関連付けて記憶される。なお、箱番号として用いられるＴＳＩ（電話番号）を示す番号がＦコード中継を行うときに指定する番号「ＳＵＢ」としても使用される。例えば、図８に示すように、箱番号「０３３１２３４５６７」はＳＵＢによるファクシミリデータの転送を行うときに指定される番号としても使用され、後述するＴＳＩに基づくファクシミリデータの転送を行う際に箱番号を検索するときの番号としても使用される。箱番号「０３３１２３４５６７」には、図３から図７で説明した設定が保存されるため、属性として「転送」、パスワードとして「１２３４５６」、転送先「ｘｘｘｘｘｘｘｘｘｘ＠ｘｘ．ｊｐ」、受信印字の設定の有無として「する」が設定されている。なお、他の箱番号には、属性として、「親展」、「中継」、「掲示板」がそれぞれ設定されている。
【００２７】
なお、このように作成された箱の名前である箱番号とＴＳＩが示す番号とが一致するときに受信したファクシミリデータをその箱に設定された転送設定に基づいて転送するＴＳＩ転送機能を有効とするか無効とするかについての設定は、ユーザが操作部２３ａを操作することにより予め設定可能である。この実施の形態においては、ＴＳＩ転送機能は有効となっている。
【００２８】
次に、ファクシミリデータを受信したときに、ＣＰＵ１１が実行するファクシミリデータの転送処理について説明する。図９は、このファクシミリデータの転送処理の要部を示すフローチャートである。
【００２９】
ＣＰＵ１１は、ファクシミリデータを、ＰＳＴＮ６を介して受信すると、そのファクシミリデータにＳＵＢが付されているか否かを判断する（ＳＴ１０１，第１の判断手段）。前記ファクシミリデータにＳＵＢが付加されていると判断すると（ＳＴ１０１、ＹＥＳ）、ＣＰＵ１１は、そのＳＵＢが示す番号と一致する番号の箱が作成されているか否かを検索する（ＳＴ１０２）。この検索は、記憶部１４内のテーブルＴを参照することにより行われる。そして、ＣＰＵ１１は検索結果に基づいてＳＵＢが示す番号と一致する番号の箱がテーブル内にあるか否かを判断する（ＳＴ１０３）。ＳＵＢが示す番号と一致する番号の箱がないと判断すると（ＳＴ１０３、ＮＯ）、番号が不一致であると回線を切断し、エラー終了する（ＳＴ１０４）。このように番号が一致しない場合は、ファクシミリデータを受信しない。また、ＳＵＢが示す番号と一致する番号の箱がテーブル内にあると判断すると（ＳＴ１０２、ＹＥＳ）、ＣＰＵ１１は検索した箱に一旦格納されたファクシミリデータをその検索された箱に設定された転送先にファクシミリデータを転送する（ＳＴ１０５）。
【００３０】
一方、受信したファクシミリデータにＳＵＢが付されていないと判断すると（ＳＴ１０１、ＮＯ）、ＣＰＵ１１はＴＳＩ転送機能が有効となっているか否かを判断する（ＳＴ１０６，第２の判断手段）。ＴＳＩ機能が有効となっていると判断すると（ＳＴ１０６、ＹＥＳ）、ＣＰＵ１１は、ＴＳＩが示す番号と一致する番号の箱があるかどうかを検索する（ＳＴ１０７，検索手段）。この検索は、テーブルＴを参照することにより行われる。そして、ＣＰＵ１１は検索結果に基づいてＴＳＩが示す番号と一致する番号の箱がテーブル内にあるか否かを判断する（ＳＴ１０８）。番号が一致する箱番号の箱があると判断すると（ＳＴ１０８、ＹＥＳ）、ＣＰＵ１１は、その箱番号にＦコード情報が関連付けて記憶されているか否かを判断する（ＳＴ１０９，第３の判断手段）。Ｆコード情報は、Ｆコード中継であることを示す情報であり、具体的には、図８のテーブルＴにおける属性のエリアの親展、掲示板、中継及びパスワードを示している。すなわち、検索された箱番号の属性が、親展、掲示板、中継のいずれであるか、又はパスワードが設定されている場合は、Ｆコード情報が関連付けられて記憶されていると判断される。検索した箱番号にＦコード情報が関連付けて記憶されていないと判断すると（ＳＴ１０９、ＮＯ）、ＣＰＵ１１は、その箱に一旦格納されたファクシミリデータを、その箱に設定された設定内容に基づいて、転送する（ＳＴ１１０）。番号が一致する箱番号の箱がないと判断すると（ＳＴ１０８、ＮＯ）、及び検索された箱にＦコード情報が関連付けられて記憶されていると判断すると（ＳＴ１０９、ＹＥＳ）、ＣＰＵは１１、転送設定がされているか否かを判断する（ＳＴ１１１）。この転送設定は従来よりあるものであり、受信したファクシミリデータを予め設定された転送先に一律に転送する設定がなされているか否かを判断するものである。転送設定がされていると判断すると（ＳＴ１１１、ＹＥＳ）、ＣＰＵ１１は予め設定された転送先にファクシミリデータを転送する（ＳＴ１１２）。転送設定がされていないと判断すると（ＳＴ１１１、ＮＯ）、ＣＰＵ１１は受信したファクシミリデータに基づいて、プリンタ１７を制御して印字を行う（ＳＴ１１３）。このステップＳＴ１１１からＳＴ１１３により処理手段を構成する。
【００３１】
次に以上のように構成されたＭＦＰ１が、ファックス７からＳＵＢが付されていないファクシミリデータを受信したときの作用について説明する。具体的には、ユーザがファックス７を用いて「ＳＵＢ」を指定せずに、ファクシミリ送信をＭＦＰ１に対して行った場合である。
【００３２】
ＭＦＰ１は、ファックス７からファクシミリデータを受信すると、「ＳＵＢ」により指定されて行われるＦコード中継を行う必要があるかどうかを判断する。「ＳＵＢ」による指定がないため、Ｆコード中継を行う必要は無いと判断される。そして、ＭＦＰ１はＴＳＩ転送機能が有効となっているため、ファクシミリデータに付加されているＴＳＩが示す「０３３１２３４５６７」と一致する箱番号の箱があるかがテーブルＴから検索する。そして、ＴＳＩが示す「０３３１２３４５６７」と一致する箱番号「０３３１２３４５６７」の箱が検索される。そして、ＭＦＰ１は、箱番号に関連付けられてＦコード情報が記憶されているか、すなわち、その箱番号にパスワードが設定されているか、又は、属性が親展、掲示板、中継となっているかを判断する。テーブルＴの参照により箱番号「０３３１２３４５６７」には、パスワードが設定されているため、Ｆコード情報が関連付けて記憶されている箱であると判断される。このように、Ｆコード情報が関連付けて記憶された箱であると判断されると、ＭＦＰ１はＴＳＩ転送機能を無効とする。このようにＴＳＩ転送機能が無効となるためＭＦＰ１は、転送設定及び受信したファクシミリデータに基づいてプリンタ１７を制御して媒体への印字を行う。
【００３３】
この実施の形態のＭＦＰ１によると、「ＳＵＢ」が示す番号とＴＳＩが示す番号が一致する場合に、その番号を箱番号するＦコード中継を行うための箱が作成されているのに、ユーザがファックス７から「ＳＵＢ」による指定をせずにファクシミリ送信をＭＦＰ１に行った場合、すなわち、ユーザがＦコード中継による転送を行わせないことを意図してファクシミリ送信を行った場合は、ＭＦＰ１のＴＳＩ転送機能が有効となっていても、そのＴＳＩが示す番号と一致する箱番号にＦコードであることを示すＦコード情報が関連付けられているため、ＴＳＩ転送機能を無効とし、図９のステップＳＴ１１１に従う。すなわち、「ＳＵＢ」として「０３３１２３４５６」を指定してファクシミリ送信を行わなかったユーザの意図が反映される。
【００３４】
したがって、ＴＳＩが示す番号に基づいてファクシミリデータの転送を行う転送設定がなされた転送箱を有していても、ユーザがその転送箱に設定された転送設定でファクシミリデータが転送されることを意図せずにファクシミリデータを送信する場合には、ＴＳＩに対応する転送箱に設定された転送設定に基づいてファクシミリデータが転送されてしまうことを防止できる。
【００３５】
また、Ｆコードを設定する場合には、ネットワーク２に接続されたＰＣ３等で利用するために親展、掲示板、中継等のＦコード中継を実現するための属性が転送箱に関連付けて設定される。また、ユーザが第３者による無許可の転送箱内の画像データ等の閲覧を防止するためのパスワードが転送箱に関連付けて設定される。ＭＦＰ１は、「ＳＵＢ」が付されていないファクシミリデータを受信してＴＳＩ転送機能が有効となっているときに、ＴＳＩが示す番号と一致する箱番号にＦコード情報が関連づけて記憶されているか否かを、Ｆコード中継を行うために転送箱に設定される属性又はパスワードのいずれかを利用して判断するため、検索された箱がＦコード中継を行うための箱であるか否かを正確に判断することができる。
【００３６】
なお、本発明は、上述した実施の形態そのままに限定されるものではなく、実施段階ではその要旨を逸脱しない範囲で構成要素を変形して具体化できるものである。
【図面の簡単な説明】
【００３７】
【図１】本発明の実施の形態におけるネットワーク構成を概略的に示す図。
【図２】同実施の形態におけるＭＦＰの要部構成を示すブロック図。
【図３】同実施の形態におけるＰＣで登録選択されたときのＰＣの表示部の表示例を示す図。
【図４】同実施の形態におけるＦコードが選択されたときの表示部の表示例を示す図。
【図５】同実施の形態における新規ボタンが入力されたときの表示部の表示例を示す図。
【図６】同実施の形態におけるエージェント設定を行うためのアイコンが入力されたときの表示部の表示例を示す図。
【図７】同実施の形態における箱番号を設定するときの表示部の表示例を示す図。
【図８】同実施の形態における箱と転送設定との関係を示すテーブルを示す図。
【図９】同実施の形態におけるファクシミリデータを受信したときに、ＣＰＵが実行する処理の要部を示すフローチャートを示す図。
【符号の説明】
【００３８】
１，４…ＭＦＰ，２…ネットワーク，３…ＰＣ，６…ＰＳＴＮ，７，８…ファクス，１１…ＣＰＵ，１２…ＲＯＭ，１４…記憶部，２３ａ…操作部，２３ｂ…表示部，Ｔ…テーブル
【図１】
0004398410.tif 000002
【図２】
0004398410.tif 000003
【図３】
0004398410.tif 000004
【図４】
0004398410.tif 000005
【図５】
0004398410.tif 000006
【図６】
0004398410.tif 000007
【図７】
0004398410.tif 000008
【図８】
0004398410.tif 000009
【図９】
0004398410.tif 000010